(57)【要約】      （修正有）【課題】床面に垂直に立てかけたり吊り下げて使用することができ、そろばん玉は軸に沿って楽に摺動し、どこでも停止することができる大型そろばんを提供する。【解決手段】そろばんの軸１８に磁性体を使用する。全てのそろばん玉２４の、軸１８を通すための貫通孔３４には、軸１８に吸着し、かつ、隣接するそろばん玉の磁石の磁力によってそろばん玉が相互に吸着しない場所に、マグネット２６が固定されている。そろばん本体には軽量堅固なアルミ材等の素材を使い、下部枠１６等を横枠から取り外せるようにする。そろばん玉はスムーズに摺動し、本体の分解・組立が容易にでき、そろばん玉の差し替え、補修等が容易になる。【選択図】図１
0003176373.tif 000002
【実用新案登録請求の範囲】
【請求項１】
そろばん玉２４を支持する軸１８が上部枠１２と梁１４と下部枠１６に嵌め込まれており、前記軸１８は磁性体であって、前記全てのそろばん玉２４の、前記軸１８を通すための貫通孔３４周辺の、前記軸１８に吸着し、かつ、隣接するそろばん玉２４のマグネット２６の磁力によってそろばん玉２４が相互に吸着しない場所に、マグネット２６が固定されていることを特徴とするそろばん。
【請求項２】
請求項１に記載のそろばんにおいて、
前記貫通孔３４周辺の一部に環状のマグネット２６を固定する収納部２８を設けたことを特徴とするそろばん。
【請求項３】
請求項２に記載のそろばんにおいて、
前記貫通孔３４の開口部分に環状のマグネット２６を固定する収納部２８を設けたことを特徴とするそろばん。
【請求項４】
請求項１乃至３のいずれかに記載のそろばんにおいて、
前記マグネット２６が前記軸１８に対して滑膜もしくは微少間隙を介して固定されていることを特徴とするそろばん。
【請求項５】
請求項１乃至４のいずれかに記載のそろばんにおいて、
そろばん玉２４が前記貫通孔３４を通る面で２分割されており、両者が接着一体化されていることを特徴とするそろばん。
【請求項６】
請求項５に記載のそろばんにおいて、
前記２分割された部分が、それぞれ異なる色に着色されていることを特徴とするそろばん。
【請求項７】
請求項５に記載のそろばんにおいて、
前記貫通孔３４を通る面で前記マグネット２６とともに２分割されており、脱着式の連結器４０を介して一体化されていることを特徴とするそろばん。
【請求項８】
請求項１乃至７のいずれかに記載のそろばんにおいて、
上部枠１２と横枠２０と梁１４とが一体に固定されており、上部枠１２または下部枠１６が、横枠２０から取り外せるように構成したことを特徴とするそろばん。
【請求項９】
請求項１乃至８のいずれかに記載のそろばんにおいて、
任意のそろばん玉２４が、他のそろばん玉２４と異なる色に着色されていることを特徴とするそろばん。
【請求項１０】
請求項１乃至９のいずれかに記載のそろばんにおいて、
そろばん玉２４を貫通孔３４に垂直な面２分割して、両者が一体化されていることを特徴とするそろばん。
【請求項１１】
請求項１乃至１０のいずれかに記載のそろばんにおいて、
上部枠１２、下部枠１６および梁１４の前面に、マグネットシール３０を磁着させるための磁性体を貼り付けたことを特徴とするそろばん。
【考案の詳細な説明】
【技術分野】
【０００１】  本考案はそろばん玉を軸上に停止させるためにマグネットを活用した教授用大型そろばんに関する。
【背景技術】
【０００２】  古来より教授用大型そろばんは、一般のそろばんの素材が木製であるために、それに準じて材質は木製であった。現在ではそろばん玉だけはプラスチック製に変わってはいる（非特許文献１参照）。また、教授用を目的とするために大型そろばんは縦に起こして使用する。その摺動させるそろばん玉を停止させるために、多くはそろばん玉の内側にバネを装着して、滑り摩擦を利用して軸上に停止させている（特許文献１〜５参照）。
【先行技術文献】
【特許文献】
【０００３】
【特許文献１】特開２００９−１９３０３８号公報
【特許文献２】特開２００３−０１５７５７号公報
【特許文献３】特開平１１−１１９６４４号公報
【特許文献４】実開平０５−０５５１６８号公報
【特許文献５】実開平０４−０８６９１７号公報
【非特許文献】
【０００４】
【非特許文献１】株式会社ダイイチホームページより  ｈｔｔｐ：／／ｗｗｗ．ｄａｉｉｃｈｉ−ｊ．ｃｏｍ／ｓｙｏｕｈｉｎ／ｓｙｏｕｈｉｎ＿ｓｏｒｏ＿ｔｅａｃｈｅｒ．ｈｔｍｌ
【考案の概要】
【考案が解決しようとする課題】
【０００５】  従来の大型そろばんは、摺動させる玉を軸上に停止させるために、玉と軸の滑り摩擦を利用してそろばん玉の内側にバネを装着している。しかしながら、時が経つとともに劣化・破損してしまいそろばん玉の摺動が不具合になってしまう傾向がある。
また、玉の摺動が不具合になっても、本体が分解できないように固定されているため、使用現場では補修できず、概ねやむを得ず壊れたまま使用しているのが現状である。【０００６】  そろばんに関連した先行技術文献を５件取り上げた。大型そろばんに関係している文献としては、特許文献３及び特許文献４がある。そして特許文献５はそろばんに磁石を使っている。
しかし、いずれの文献も非特許文献１に提示しているような従来から存在する教授用大型そろばんの摺動における問題点を解決するものではない。
【課題を解決するための手段】
【０００７】  以下の構成はそれぞれ上記の課題を解決するための手段である。
〈構成１〉
そろばん玉２４を支持する軸１８が上部枠１２と梁１４と下部粋１６に嵌め込まれており、前記軸１８は磁性体であって、前記全てのそろばん玉２４の、前記軸１８を通すための貫通孔３４周辺の、前記軸１８に吸着し、かつ、隣接するそろばん玉２４のマグネット２６の磁力によってそろばん玉２４が相互に吸着しない場所に、マグネット２６が固定されていることを特徴とするそろばん。【０００８】  〈構成２〉
構成１に記載のそろばんにおいて、前記貫通孔３４周辺の一部に環状のマグネット２６を固定する収納部２８を設けたことを特徴とするそろばん。【０００９】  〈構成３〉
構成２に記載のそろばんにおいて、前記貫通孔３４の開口部分に環状のマグネット２６を固定する収納部２８を設けたことを特徴とするそろばん。【００１０】  〈構成４〉
構成１乃至３のいずれかに記載のそろばんにおいて、前記マグネット２６が前記軸１８に対して滑膜もしくは微少間隙を介して固定されていることを特徴とするそろばん。【００１１】  〈構成５〉
構成１乃至４のいずれかに記載のそろばんにおいて、そろばん玉２４が前記貫通孔３４を通る面で２分割されており、両者が接着一体化されていることを特徴とするそろばん。【００１２】  〈構成６〉
構成５に記載のそろばんにおいて、前記２分割された部分が、それぞれ異なる色に着色されていることを特徴とするそろばん。【００１３】  〈構成７〉
構成５に記載のそろばんにおいて、前記貫通孔３４を通る面で前記マグネット２６とともに２分割されており、脱着式の連結器４０を介して一体化されていることを特徴とするそろばん。【００１４】  〈構成８〉
構成１乃至７のいずれかに記載のそろばんにおいて、上部枠１２と横枠２０と梁１４とが一体に固定されており、上部枠１２または下部枠１６が、横枠２０から取り外せるように構成したことを特徴とするそろばん。【００１５】  〈構成９〉
構成１乃至８のいずれかに記載のそろばんにおいて、任意のそろばん玉２４が、他のそろばん玉２４と異なる色に着色されていることを特徴とするそろばん。【００１６】  〈構成１０〉
構成１乃至９のいずれかに記載のそろばんにおいて、そろばん玉２４を貫通孔３４に垂直な面２分割して、両者が一体化されていることを特徴とするそろばん。【００１７】  〈構成１１〉
構成１乃至１０のいずれかに記載のそろばんにおいて、上部枠１２、下部粋１６および梁１４の前面に、マグネットシール３０を磁着させるための磁性体を貼り付けたことを特徴とするそろばん。
【考案の効果】
【００１８】  〈構成１の効果〉
そろばん玉２４は、磁力により磁性体製の軸１８に吸着するので、床面に垂直に立てかけたり吊り下げて使用することができる。また、そろばん玉２４は軸１８に沿って楽に摺動し、どこでも停止することができる。
〈構成２の効果〉
貫通孔３４周辺の一部の最適な箇所に、接着やはめ込みによって、マグネット２６を簡単に固定できる。
〈構成３の効果〉
隣接するそろばん玉２４と吸着しないように、マグネット２６を確実に固定できる。
〈構成４の効果〉
磁性体の軸１８とマグネット２６の間の滑りを良くすることができる。
〈構成５の効果〉
製造が容易で、樹脂モールドするときの型枠も一種類でよいから、コストを低減できる。
〈構成６の効果〉
そろばん玉をくるりと１８０度回転すると別の色にすることができる。これはそろばんの初歩の指導に特に便利である。
〈構成７の効果〉
脱着式の連結器４０を使用しているので、そろばん玉２４を２分割して、個別に簡単に軸１８から取り外して交換できる。
〈構成８の効果〉
上部枠１２または下部粋１６を取り外せるようにして、そろばん玉２４の取り替えが簡単にできるようにした。
〈構成９の効果〉
例えば５玉と１玉に別々の色のものを使用して区別して表示したり、位取りの説明で玉の色を変えたりした指導が可能である。
〈構成１０の効果〉
上下に２分割して例えば、それぞれ異なる色に着色するようにしてもよい。
〈構成１１の効果〉
そろばんの位取りが理解できている学習者に対し『単位換算』などの指導にも活かせる。
【図面の簡単な説明】
【００１９】
【図１】  本考案の大型そろばん１０の一部を拡大した正面図である。
【図２】  そろばん玉２４の縦断面図である。
【図３】  （ａ）はマグネットの斜視図、（ｂ）は２分割構成のマグネットの斜視図、（ｃ）は２分割構成のそろばん玉の縦断面図である。
【図４】  （ａ）は梁１４の下面図、（ｂ）は梁１４の貫通孔３４の位置を破線で示した側面図、（ｃ）は貫通孔３４の位置を破線で示した下部枠１６の側面図、（ｄ）はそろばん全体の正面図である。
【図５】  下部枠１６を着脱可能にした実施例説明図である。
【図６】  そろばん玉２４の変形例を示し、（ａ）は二色に分けたそろばん玉を上部から見た平面図である。（ｂ）は（ａ）の例の側面図である。（ｃ）は上下に２色に塗り分けた例を示すそろばん玉２４の側面図である。
【図７】  そろばん玉２４変形例で、（ａ）は縦断面図、（ｂ）は平面図、（ｃ）は連結器４０の平面図である。
【考案を実施するための形態】
【００２０】  本考案のそろばんは、立て掛けるか吊り下げて使用する。いわゆる教授用の大型そろばんである。そろばん玉にはマグネットを埋め込み、磁性体からなる軸を使用する。そろばん玉はマグネットの磁力で軸を摺動し、どの場所でも停止する。上部枠や下部枠１６を取り外せるようにしたり、そろばん玉の色を変えたり、二色に塗り分けたりして、多様な指導法が採用できる。以下図面に従って、本考案の実施の形態を説明する。
【実施例１】
【００２１】  図１は、本考案の大型そろばん１０の一部を拡大した図面である。
大型そろばんは、床面に対して垂直に立ち上がった、黒板のような壁面に吊り下げて、あるいは立て掛けて使用するものである。外観は既知のそろばんと同様である。この状態で、そろばん玉２４にマグネット２６を装着した。そろばん玉２４を支持する磁性体でできた軸１８は上部枠１２と梁１４と下部枠１６に嵌め込まれている。【００２２】  なお、ここで言う磁性体とは、マグネット２６に対して磁力で吸着する鉄などの強磁性体のことである。【００２３】  梁１４及び上下の枠の前面には、定位点（ポイント）等を示すためのマグネットシール３０を磁着させるため磁性体を貼り付けるとよい。マグネットシール３０は着色された磁石や磁化されたゴムシート等が適する。【００２４】  そろばんの位取りが理解できている学習者には単位（ｋｍ，ｍ，ｃｍ，ｍｍ，ｔ，ｋｇ，ｇ，ｍｇ，ｋｌ，ｌ，ｄｌ，ｍｌ等）のマグネットシール３０を活用すると『単位換算』の指導にも活かせる。【００２５】  そろばん玉２４の形体及び大きさは従来のものと同程度、勿論本体の大きさに拠る。そろばん学習の現場で吊り下げて使用するものは、例えば、そろばん玉２４の直径や高さは約５ｃｍ、軸１８の長さは約２０〜３０ｃｍ程度のものが適する。【００２６】  図２は、そろばん玉２４の縦断面図である。
そろばん玉２４の貫通孔３４に、図１に示した磁性体の軸１８を貫通させる。軸１８がマグネット２６を装着したそろばん玉２４が摺動、停止できるほどに十分に緩く嵌め込まれているように構成する。そろばん玉２４は図の縦断面図に示すように貫通孔３４を有するプラスチック成型体でよいが、軽量化のために中空構造にすることが好ましい。【００２７】  全てのそろばん玉２４には、同じ位置にマグネット２６を固定する。マグネット２６は、軸１８を通すための貫通孔３４周辺に固定される。隣接するそろばん玉２４のマグネット２６の磁力によってそろばん玉２４が相互に吸着しない場所に固定することが必要である。これにより、各そろばん玉２４は、軸３４上を個々に自由に移動できる。【００２８】  図２に示すように、そろばん玉２４の貫通孔３４周辺の一部に、マグネット２６を固定する収納部２８を設けるとよい。貫通孔３４の開口部分に環状のマグネット２６を固定する収納部２８を設ければ、そろばん玉２４の組み立て等が簡単である。マグネット２６は、収納部２８に、接着剤などで固定するとよい。【００２９】  貫通孔３４と軸１８との隙間はそろばん玉２４を移動する時のガタつきが起きないほどに可能な限り狭くしておくことが好ましい。そろばん玉２４がプラスチックで、軸１８が鉄等の金属なら、両者の間の滑りは問題ない。マグネット２６は、軸１８に対して滑膜もしくは微少間隙を介して固定されていることが好ましい。滑膜は、プラスチックコーティングやメッキ層のことである。これにより、磁性体の軸１８とマグネット２６の間の滑りを良くすることができる。【００３０】  大型そろばんは主として吊り下げたり立て掛けたりして使用するものであるから、マグネット２６と軸１８との隙間は磁着して停止し、かつ楽に摺動できるように考慮することが好ましい。また、マグネット２６と軸１８との間の滑りが良ければ、両者が一部密着しているようにしても構わない。【００３１】  図３（８）はマグネットの斜視図、（ｂ）は２分割構成のマグネットの斜視図、（ｃ）は２分割構成のそろばん玉の縦断面図である。
マグネット２６は、例えば、図のようなドーナツ型のものが組み立て上、好ましい。また、図３（ｂ）のように、マグネット２６を２つ割り構成にし、図３（ｃ）に示すように、そろばん玉２４本体も２つ割り構成にすると、組み立てが容易になる。成形金型は一種類でよいからコスト上も有利である。【００３２】  図４（ａ）は梁１４の下面図、（ｂ）は梁１４の貫通孔３４の位置を破線で示した側面図、（ｃ）は貫通孔３４の位置を破線で示した下部枠１６の側面図、（ｄ）はそろばん全体の正面図である。
本考案のそろばんは、そろばん玉２４を容易に交換することができる。図の例では、上部枠１２に吊り下げ用のフック３２が一対、取り付けられている。そして、横枠２０と梁１４と上部枠１２は一体に固定しておき、下部枠１６が、横枠２０から取り外せるようになっている。梁１４に空ける穴は前面に近い位置に取るとよい。そろばんの桁数は随意である。【００３３】  上部枠１２、横枠２０及び下部枠１６には、軽量堅固なアルミ材等の素材を使用することが好ましい。磁性体よりなる軸１８は、上部枠１２と下部枠１６と梁１４に対して緩く嵌め込まれている。【００３４】  図５は、下部枠１６を着脱可能にした実施例説明図である。
下部枠１６を左右の横枠２０から取り外した際には磁性体よりなる軸１８は１本ずつ容易に取り外すことができ、そろばん玉２４の取り替えが簡単にできるようにした。
従って、例えば、そろばん玉２４が破損した際の交換も容易である。なお、全体の強度を保ち歪みが生じないように、上部枠１２と梁１４と横枠２０とをねじ止めや接着剤などで強固に固定しておくとよい。【００３５】  上部枠１２と下部枠１６の内側に、軸１８の端を納めるための凹穴をあけるが、大きさは軸１８の太さに合わせ、取り外しの利く様にする。【００３６】  梁１４にも軸１８が通る穴をあけるが、貫通孔３４の位置はできるだけ前面に近い位置にする。これは、横から見た時のそろばん玉２４とポイント（定位点）のずれをできる限り解消するために考慮しておく必要がある。現行の大型そろばんの本体は木製のため貫通孔３４をあける位置は強度的に考えてどうしても中ほどになっているようである。そろばんの桁数は随意である。【００３７】  当然であるが、本体を組み立てた時の上部枠１２と下部枠１６の凹穴と梁１４の貫通孔３４の位置は軸１８がきちんと収まるように直線状に並ぶようにする。【００３８】  本体外側の４つの角は安全性を考慮して削って丸くしておく。本体上粋に吊り金具を取り付けておくことは利便性に適う。なお、上部枠１２も、下部枠１６と同様にして取り外せるようにして構わない。
【実施例２】
【００３９】  図６は、そろばん玉２４の変形例を示し、（ａ）は二色に分けたそろばん玉を上部から見た平面図である。（ｂ）は（ａ）の例の側面図である。（ｃ）は上下に２色に塗り分けた例を示すそろばん玉２４の側面図である。
そろばん玉２４の上部にはドーナツ型のマグネット２６を取り付けた。図２で説明したとおりである。図４で説明したように、そろばんが容易に分解できれば、異なった色の予備のそろばん玉２４を用意しておき、差し替えて活用できる。例えば五玉と一玉に別々の色のものを使用して区別して表示したり、位取りの説明で玉の色を変えたりした指導が可能である。【００４０】  ここで、（ａ）や（ｂ）に示すように、貫通孔３４の軸に対して対称に、２色に塗り分けたそろばん玉２４は、玉をくるりと１８０度回転すると別の色になる。このそろばん玉２４を必要な個所にセットしておく。授業などでそろばんの玉の置き払いを指導するとき、例えば、「６−３」という引き算の操作をする場面で利用する。６から３を引く規範的操作は、２を入れて５を払うのだが、５玉をくるりと回して色を変えて５玉に気付かせる。本体がそろばん玉の交換が容易にできる構造になっているので、初心者を指導するのに便利である。【００４１】  図３で説明したように、そろばん玉２４を貫通孔３４を通る面で２分割構成にしておくと、２色に塗り分けたそろばん玉も容易に作ることが可能である。既に説明したように、左右対称であるから、金型は１種類でよい。また、図５（ｃ）に示すように、上下に２分割構成にすると、上下の部分をそれぞれ異なる色に着色することができる。
【実施例３】
【００４２】  図７はさらに別のそろばん玉２４変形例で、（ａ）は縦断面図、（ｂ）は平面図、（ｃ）は連結器４０の平面図である。
上記の実施例では、そろばん１０を分解してそろばん玉２４を交換した。この実施例では、貫通孔３４を通る面でマグネット２６とともにそろばん玉２４全体が２分割されており、脱着式の連結器４０を介して一体化されている。連結器４０は、例えば、２分割された一方に凸爪４２を設け、他方に凹爪４４を設けている。また、２つ割りしたマグネット２６の磁力で一体化してもよい。連結器４０はそろばん玉２４の数カ所に設ければよい。【００４３】  このように構成すると、そろばん玉２４をいつでも簡単に軸１８に対して着脱できる。上記のような着色をしたそろばん玉２４だけこのような構成にしておけば、そろばん玉２４の交換作業が簡単で、授業中に交換することもできる。なお、（ｂ）に示したＡ線で分割をすると２分割できるし、（ａ）に示したＢ線で分割できれば上下に２分割できるから、様々なパリエーションが可能である。【００４４】  以上のように、本考案は、そろばん玉２４にマグネット２６を装着し、そろばん玉２４を軸１８上で軽く容易に移動できる。また、そろばん玉２４の摺動部位が従来のバネ式ように劣化・破損してしまうことが無くなる。さらに、そろばん本体の分解が容易にできるように、上部枠１２を取り外せるようにすれば、軸１８を抜き取ってそろばん玉２４を交換することができる。【００４５】  また、隣接するそろばん玉２４のマグネット２６の磁力によってそろばん玉２４が相互に吸着しない場所に、マグネット２６が固定されているので、個々のそろばん玉２４を独立に簡単に移動できる。【００４６】  マグネットの磁力を活用することによって、これまでの教授用大型そろばんがそうであったような劣化破損して摺動しにくくなるという問題点は解消される。また、仮に不具合が生じても容易に分解補修できる構造にすれば、長期にわたって使用状態を維持できる。また、軽量堅固にすることが可能であるから持ち運びにも適している。本考案は、そろばんの仕組みの学習にそろばん玉２４の色を取り替えてみることやマグネットシール３０を使った単位学習の補助等にも利用できる。
【符号の説明】
【００４７】１０  大型そろばん
１２  上部枠
１４  梁
１６  下部枠
１８  軸
２０  横粋
２４  そろばん玉
２６  マグネット
２８  収納部
３０  マグネットシール
３２  フック
３４  貫通孔
４０  連結器
４２  凸爪
４４  凹爪
【図１】
0003176373.tif 000003
【図２】
0003176373.tif 000004
【図３】
0003176373.tif 000005
【図４】
0003176373.tif 000006
【図５】
0003176373.tif 000007
【図６】
0003176373.tif 000008
【図７】
0003176373.tif 000009